(57)【要約】【課題】操作者に対して煩わしさを感じさせることなく、誤操作の低減を可能とするジェスチャ検出装置、およびジェスチャ検出方法を提供することにある。【解決手段】操作者の指差しジェスチャによる指差し方向に基づいて、操作対象１０に対する入力を行うジェスチャ入力装置において、操作者の体の姿勢を取得する取得部１１０と、取得部によって取得された体の姿勢と、体の姿勢に対して予め定められた閾値とに基づいて指差し方法を判断し、指差し方法に対応する算出方法で指差し方向を算出して、操作対象に対する入力を行う制御部１２０とを備える。これにより、制御部は、操作者の体の姿勢と、予め定められた閾値とに基づいて、操作者がどの方向（位置）を指差しているのかを自動判定することができるので、操作者に対して煩わしさを感じさせることなく、誤操作の低減を図ることができる。【選択図】図１
2020086913.tif 000002
【特許請求の範囲】
【請求項１】
操作者の指差しジェスチャによる指差し方向に基づいて、操作対象（１０）に対する入力を行うジェスチャ検出装置において、
前記操作者の体の姿勢を取得する取得部（１１０）と、
前記取得部によって取得された前記体の姿勢と、前記体の姿勢に対して予め定められた閾値とに基づいて指差し方法を判断し、前記指差し方法に対応する算出方法で前記指差し方向を算出して、前記操作対象に対する入力を行う制御部（１２０）とを備えるジェスチャ検出装置。
【請求項２】
算出された前記指差し方向が、前記操作対象に交わらない場合、
前記制御部は、入力制御の対象から除外する請求項１に記載のジェスチャ検出装置。
【請求項３】
算出された前記指差し方向が、複数ある場合、
前記制御部は、予め定められた優先順位に従って、最終的な指差し方向として決定する請求項１に記載のジェスチャ検出装置。
【請求項４】
算出された前記指差し方向が、複数ある場合、
前記制御部は、複数の前記指差し方向の平均値を、最終的な指差し方向として決定する請求項１に記載のジェスチャ検出装置。
【請求項５】
操作者の指差しジェスチャによる指差し方向に基づいて、操作対象（１０）に対する入力を行うジェスチャ検出方法において、
前記操作者の体の姿勢を取得する取得ステップ（Ｓ１００）と、
前記取得ステップによって取得された前記体の姿勢と、前記体の姿勢に対して予め定められた閾値とに基づいて指差し方法を判断し、前記指差し方法に対応する算出方法で前記指差し方向を算出して、前記操作対象に対する入力を行う算出入力ステップ（Ｓ１１０、Ｓ１４０）とを備えるジェスチャ検出方法。
【請求項６】
操作者の指差しジェスチャによる指差し方向に基づいて、操作対象（１０）に対する入力を行うジェスチャ検出制御プログラムにおいて、
コンピュータを、
前記操作者の体の姿勢を取得する取得部（１１０）によって取得された前記体の姿勢データと、前記体の姿勢に対して予め定められた閾値とに基づいて指差し方法を判断し、前記指差し方法に対応する算出方法で前記指差し方向を算出して、前記操作対象に対する入力を行う制御部（１２０）として機能させるためのジェスチャ検出制御プログラム。
【発明の詳細な説明】
【技術分野】
【０００１】
本発明は、入力操作に用いるジェスチャを検出するジェスチャ検出装置、およびジェスチャ検出方法に関するものである。
【背景技術】
【０００２】
従来のジェスチャ検出装置として、例えば、特許文献１に記載されたものが知られている。特許文献１のジェスチャ検出装置（情報入力装置）では、機器制御器は、操作者のジェスチャ（手の形状、状態、状態の変化）に基づいて、制御対象機器を特定し、更に、制御コマンドを決定し、制御対象機器に対する入力（遠隔操作）ができるようになっている。例えば、操作者のジェスチャとして、人差し指を立てた指差しジェスチャによって、ディスプレイ（テレビ）画面が指し示されると、機器制御器は、制御対象機器がテレビであることを認識し、この指差しジェスチャによって、指の延長線上に位置したディスプレイ上のカーソルを移動することができるようになっている。
【０００３】
また、特許文献２のジェスチャ検出装置（操作入力装置）では、ディスプレイ画面と、ディスプレイ画面の外側領域となる延長面とによって、展開面が設定されている。そして、操作者の目の位置（基準点）と、展開面の前方にかざされた手の指先（指示物）とを結ぶ仮想線によって、指差しによる展開面上の位置（対象点）が定義されるようになっている。
【先行技術文献】
【特許文献】
【０００４】
【特許文献１】特開２０１３−２０５９８３号公報
【特許文献２】特開２００５−３２１８７０号公報
【発明の概要】
【発明が解決しようとする課題】
【０００５】
しかしながら、上記特許文献１、２では、それぞれ、所定の指差し方法が予め決められており、その方法を前提として、指差し方向が特定されるようになっている。よって、操作者が、所定の指差し方法とは異なる指差しジェスチャを行うと誤操作が発生する。一方、誤操作を回避するために、どの部位でどのように指差しをするのかを操作者に制約すると、操作者は煩わしさを感じる。
【０００６】
本発明の目的は、上記問題に鑑み、操作者に対して煩わしさを感じさせることなく、誤操作の低減を可能とするジェスチャ検出装置、およびジェスチャ検出方法を提供することにある。
【課題を解決するための手段】
【０００７】
本発明は上記目的を達成するために、以下の技術的手段を採用する。
【０００８】
第１の発明では、操作者の指差しジェスチャによる指差し方向に基づいて、操作対象（１０）に対する入力を行うジェスチャ検出装置において、
操作者の体の姿勢を取得する取得部（１１０）と、
取得部によって取得された体の姿勢と、体の姿勢に対して予め定められた閾値とに基づいて指差し方法を判断し、指差し方法に対応する算出方法で指差し方向を算出して、操作対象に対する入力を行う制御部（１２０）とを備えることを特徴としている。
【０００９】
また、第２の発明では、操作者の指差しジェスチャによる指差し方向に基づいて、操作対象（１０）に対する入力を行うジェスチャ検出方法において、
操作者の体の姿勢を取得する取得ステップ（Ｓ１００）と、
取得ステップによって取得された体の姿勢と、体の姿勢に対して予め定められた閾値とに基づいて指差し方法を判断し、指差し方法に対応する算出方法で指差し方向を算出して、操作対象に対する入力を行う算出入力ステップ（Ｓ１１０、Ｓ１４０）とを備えることを特徴としている。
【００１０】
また、第３の発明では、操作者の指差しジェスチャによる指差し方向に基づいて、操作対象（１０）に対する入力を行うジェスチャ検出制御プログラムにおいて、
コンピュータを、
操作者の体の姿勢を取得する取得部（１１０）によって取得された体の姿勢データと、体の姿勢に対して予め定められた閾値とに基づいて指差し方法を判断し、指差し方法に対応する算出方法で指差し方向を算出して、操作対象に対する入力を行う制御部（１２０）として機能させることを特徴としている。
【００１１】
これにより、制御部（１２０）は、操作者の体の姿勢と、予め定められた閾値とに基づいて、操作者がどの方向（位置）を指差しているのかを自動判定することができるので、操作者に対して煩わしさを感じさせることなく、誤操作の低減を図ることができる。
【００１２】
尚、上記各手段の括弧内の符号は、後述する実施形態記載の具体的手段との対応関係を示すものである。
【図面の簡単な説明】
【００１３】
【図１】第１実施形態におけるジェスチャ検出装置の全体構成を示すブロック図である。
【図２】制御部が行う制御内容を示すフローチャートである。
【図３】具体的に指差し方向を算出する際に用いる閾値（判断基準）を示す表である。
【図４】肘が曲がっている状態を示す説明図である。
【図５】指の第１関節と第２関節とが伸びている状態を示す説明図である。
【図６】視線方向、眼球位置、および指先位置を示す説明図である。
【図７】肘が伸びている状態を示す説明図である。
【図８】肘、および指の第１、第２関節が曲がっている状態を示す説明図である。
【図９】変形例において、手首が曲がっている状態を示す説明図である。
【図１０】変形例において、指の第３関節が曲がっている状態を示す説明図である。
【発明を実施するための形態】
【００１４】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１５】
（第１実施形態）
第１実施形態のジェスチャ検出装置１００について図１〜図８を用いて説明する。本実施形態のジェスチャ検出装置１００は、例えば車両に搭載され、操作者（運転者）の指差しジェスチャによる指差し方向に基づいて、各種車両機器１０に対する入力指示を行う装置となっている。指差しジェスチャにおける指は、例えば、人差し指とすることができる。
【００１６】
各種車両機器１０としては、例えば、車室内の空調を行う空調装置、自車の現在位置表示あるいは目的地への案内表示等を行うカーナビゲーション装置（以下、カーナビ装置）、テレビ放映、ラジオ放送、ＣＤ／ＤＶＤの再生等を行うオーディオ装置等、がある。これらの車両機器１０は、本発明の操作対象に対応する。尚、各種車両機器１０としては、上記に限らず、ヘッドアップディスプレイ装置、ルームランプ装置、後席サンシェード装置、電動シート装置、グローボックス開閉装置等がある。
【００１７】
空調装置、カーナビゲーション装置、およびオーディオ装置等は、例えば、液晶ディスプレイや有機ＥＬディスプレイ等を用いた表示部１１を有しており、この表示部１１には、例えば、カーソル１１ａ、操作用のアイコン１１ｂ、更にはそれぞれの作動状態等が表示されるようになっている。
【００１８】
ジェスチャ検出装置１００は、図１に示すように、取得部１１０、および制御部１２０等を備えている。制御部１２０は、取得部１１０によって取得された操作者の指差しジェスチャの姿勢データ（体の姿勢）と、後述する各種閾値とをもとに、予め定められた各種パターン（図３）の中から適合する指差し方法を判断し、この指差し方法に対応する算出方法で指差し方向を算出するようになっている。そして、制御部１２０は、この指差し方向のデータを各種車両機器１０に出力することで、各種車両機器１０に対する入力指示（入力操作のための指示）を行うようになっている。
【００１９】
つまり、指差しジェスチャが行われることで、指差し方向と交わるカーソル１１ａが移動される、また、指差し方向と交わるアイコン１１ｂが選択されることで、各種車両機器１０における作動条件が変更され、表示部１１には、操作の結果（作動状態等）が表示される。
【００２０】
尚、各種車両機器１０は、指差しジェスチャによって、例えば、空調装置であると、設定温度の変更、空調風の風量の変更等が行われ、また、カーナビ装置では、地図の拡大縮小、目的地設定等が行われ、また、オーディオ装置では、テレビ局、ラジオ局の変更、楽曲の選択、音量の変更等が行われる。
【００２１】
取得部１１０は、操作者の指差しジェスチャ（体の姿勢）を連続的に（時間経過と共に）取得し、指差しジェスチャデータ（体の姿勢データ）として制御部１２０に出力するようになっている。取得部１１０は、操作者の主に上半身における顔、目の位置（視線方向Ｖｇ）、および肩、肘、手首、指等の姿勢、更には表示部１１を取得するようになっている。
【００２２】
取得部１１０としては、対象物の輝度画像を形成するカメラ、距離画像を形成する距離画像センサ、あるいはそれらの組合せを用いることができる。カメラとしては、近赤外線を捉える近赤外線カメラ、あるいは可視光を捉える可視光カメラ等がある。また、距離画像センサとしては、例えば、複数のカメラで同時に撮影して視差から奥行方向の情報を計測するステレオカメラ、あるいは、光源からの光が対象物で反射して返るまでの時間で奥行きを計測するＴｏＦ（Time of Flight）カメラ等がある。本実施形態では、取得部１１０としては、上記のように対象物の輝度画像を形成するカメラを用いたものとしている。
【００２３】
制御部１２０は、例えば、ＣＰＵ、ＲＯＭ、ＲＡＭ等を備えたコンピュータであり、記憶部１２１、指差し方向算出部１２２、および入力制御部１２３等を備えている。
【００２４】
記憶部１２１は、指差し方法を判断する際の判定条件となる各種閾値（予め定められた各種パターンごとの閾値）、および算出された指差し方向が複数ある場合の優先順位等を記憶する部位となっている。
【００２５】
各種閾値としては、図３〜図８に示すように、肘の曲り具合（角度θｅ）を判定する閾値Ｔｈｅ、閾値Ｔｈｅ´、更に、指の第１関節、および第２関節の曲り具合（角度θ１、θ２）を判定する閾値Ｔｈ１、閾値Ｔｈ２、閾値Ｔｈ１´、閾値Ｔｈ２´がある。また、各種閾値として、視線方向Ｖｇ、眼球位置Ｐｅ、および指先位置Ｐｔをもとにして、視線方向Ｖｇと、眼球位置Ｐｅおよび指先位置Ｐｔを結ぶ線分との成す角∠（Ｖｇ、Ｐｅ−Ｐｔ）（図６）を判定する閾値Ｔｈｆがある。
【００２６】
また、優先順位は、後述するように指差し方向が複数、算出された場合に、どの方向を優先して指差し方向として採用するかを決めるための順位として予め定められている。
【００２７】
記憶部１２１に記憶された各種閾値データ、および優先順位は、後述するように指差し方向が算出される際（図２のステップＳ１１０）に、指差し方向算出部１２２によって、参照されるようになっている。
【００２８】
指差し方向算出部１２２は、取得部１１０から出力される操作者の指差しジェスチャデータと、記憶部１２１に記憶された各種閾値、優先順位とを用いて、指差し方法を判断し、この指差し方法に対応する算出方法で、操作者の指差しジェスチャによる実際の指差し方向を算出する部位となっている。
【００２９】
入力制御部１２３は、指差し方向算出部１２２によって算出された指差し方向のデータを、各種車両機器１０に出力する部位となっている。
【００３０】
本実施形態のジェスチャ検出装置１００は、以上のような構成となっており、以下、作動および作用効果について説明する（図２〜図８）。
【００３１】
図２に示すフローチャートにおいて、まず、ステップＳ１００で、取得部１１０によって操作者の指差しジェスチャ（姿勢データ）が取得され、取得された指差しジェスチャのデータは、制御部１２０における指差し方向算出部１２２に出力される。ステップＳ１００は、本発明の取得ステップに対応する。
【００３２】
ステップＳ１１０で、指差し方向算出部１２２は、出力された指差しジェスチャデータと、記憶部１２１にある各種閾値とから、例えば、図３の模式図、および判断基準（各種パターン）に示すように、適合する指差し方法を判断し、この指差し方法に対応する算出方法で実際の指差し方向を算出する。以下、指差し方法の判断の要領と、指差し方向の算出要領（ここでは、以下の４つのパターン例）について具体的に説明する。
【００３３】
パターン１（指の方向に基づくパターン）
指差し方向算出部１２２は、操作者の肘が曲がっており、且つ、指の第１関節、および第２関節が伸びている状態を判定すると、指差し方法としては、パターン１を適用するものと判断する。具体的には、指差し方向算出部１２２は、図４に示すように、上腕と下腕との成す角度をθｅとしたときに、
角度θｅ≦閾値Ｔｈｅ
となる場合に肘が曲がっていると判定すると共に、図５に示すように、指の第１関節における角度をθ１、第２関節における角度をθ２としたときに、
角度θ１≧閾値Ｔｈ１
角度θ２≧閾値Ｔｈ２
となる場合に指の各関節が伸びていると判定する。そして、指差し方向算出部１２２は、指の伸びる延長線の方向を指差し方向として算出する。
【００３４】
パターン２（目−指先に基づくパターン）
指差し方向算出部１２２は、操作者の視線の中心付近に指先が位置しており、図６に示すように、視線方向Ｖｇと、眼球位置Ｐｅおよび指先位置Ｐｔを結ぶ線分との成す角を∠（Ｖｇ、Ｐｅ−Ｐｔ）としたとき、
∠（Ｖｇ、Ｐｅ−Ｐｔ）≦閾値Ｔｈｆ
となる場合に、指差し方法としては、パターン２を適用するものと判断する。そして、指差し方向算出部１２２は、眼球位置Ｐｅおよび指先位置Ｐｔを結ぶ線分の方向を指差し方向として算出する。
【００３５】
パターン３（肩−指先に基づくパターン）
指差し方向算出部１２２は、操作者の肘が伸びている状態を判定すると、指差し方法としては、パターン３を適用するものと判断する。具体的には、指差し方向算出部１２２は、図７に示すように、上腕と下腕との成す角度をθｅとしたときに、
角度θｅ≧閾値Ｔｈｅ´
となる場合に肘が伸びていると判定する。そして、指差し方向算出部１２２は、肩と指先とを結ぶ線分の方向を指差し方向として算出する。
【００３６】
パターン４（手の方向に基づくパターン）
指差し方向算出部１２２は、肘が曲がっており、且つ、指の第１関節、および第２関節が曲がっている状態を判定すると、指差し方法としては、パターン４を適用するものと判断する。具体的には、指差し方向算出部１２２は、図４に示すように、上腕と下腕との成す角度をθｅとしたときに、
角度θｅ≦閾値Ｔｈｅ
となる場合に肘が曲がっていると判定すると共に、図８に示すように、指の第１関節における角度をθ１、第２関節における角度をθ２としたときに、
角度θ１≦閾値Ｔｈ１´
角度θ２≦閾値Ｔｈ２´
となる場合に指の各関節が曲がっていると判定する。そして、指差し方向算出部１２２は、手首と指先とを結ぶ線分の方向を指差し方向として算出する。
【００３７】
尚、指差し方向算出部１２２は、上記のパターン１〜４において、算出条件を満たすものについては、全て算出する。また、指の第１関節、および第２関節は、同時に曲がる、あるいは伸びることを前提としている。
【００３８】
図２に戻って、次に、ステップＳ１２０で、指差し方向算出部１２２は、上記ステップＳ１１０で算出した指差し方向が、車両機器１０の表示部１１に交わっているか否かを判定し、交わっていると判定した場合は、ステップＳ１３０に進み、否と判定した場合は、本制御を終了し、スタートに戻る。
【００３９】
ステップＳ１３０では、更に、指差し方向算出部１２２は、ステップＳ１１０におけるパターン１〜４の算出のうち、複数の指差し方向が算出されたか否かを判定し、複数の指差し方向が算出された場合は、ステップＳ１５０に移行し、また、否と判定した場合は、ステップＳ１４０に移行する。
【００４０】
ステップＳ１４０では、入力制御部１２３は、ステップＳ１１０で算出した指差し方向（１つの指差し方向）に基づいて、車両機器１０に対する入力指示を実施する。上記ステップＳ１１０、および本ステップＳ１４０は、本発明の算出入力ステップに対応する。
【００４１】
また、ステップＳ１５０では、指差し方向算出部１２２は、複数算出された指差し方向に対して、記憶部１２１に予め記憶された優先順位に基づいて、最終の指差し方向を決定して、ステップＳ１４０に進む。尚、優先順位としては、図３において、例えば、１位を目−指先に基づくもの、２位を指の方向に基づくもの、３位を手の方向に基づくもの、４位を肩−指先に基づくものと設定することが可能である。あるいは、図３において、例えば、１位を目−指先に基づくもの、２位を肩−指先に基づくもの、３位を指の方向に基づくもの、４位を手の方向に基づくものと設定することも可能である。
【００４２】
あるいは、ステップＳ１５０においては、指差し方向算出部１２２は、複数算出された指差し方向に対して、平均化することで、最終の指差し方向として決定するようにしてもよい。
【００４３】
尚、指差しジェスチャにおける指は、人差し指として説明したが（図３〜図８）、人差し指に限らず、他の指を使用するものとしてもよい。
【００４４】
以上のように、本実施形態では、制御部１２０は、取得部１１０によって取得された操作者の体の姿勢と、体の姿勢に対して予め定められた閾値とに基づいて、指差し方法を判断し、指差し方法に対応する算出方法で指差しジェスチャにおける指差し方向を算出して、各種車両機器１０に対する入力を行うようにしている。
【００４５】
これにより、制御部１２０は、操作者の体の姿勢が種々の形態を取る場合であっても、体の姿勢と、予め定められた閾値とに基づいて指差し方法を判断し、指差し方法に対応する算出方法で操作者がどの方向（位置）を指差しているのかを、自動判定することができるので、操作者に対して煩わしさを感じさせることなく、誤操作の低減を図ることができる。
【００４６】
また、本実施形態では、算出された指し方向が、表示部１１（操作対象）に交わらない場合、制御部１２０は、入力制御の対象から除外するようにしている（ステップＳ１２０のＮｏの場合）。これにより、操作者の意図しない指差しジェスチャに対する入力を禁止して、入力操作の信頼性を向上させることができる。
【００４７】
また、本実施形態では、算出された指差し方向が、複数ある場合、制御部１２０は、予め定められた優先順位に従って、あるいは、平均値を用いる（平均化する）ことで、最終的な指差し方向として決定するようにしている。これにより、算出される指差し方向の信頼度を向上させることができる。
【００４８】
（第１実施形態の変形例）
第１実施形態の変形例を図３（変形例）、図９、図１０に示す。本変形例は、上記第１実施形態に対して、指差し方向の算出要領を変更したものである。
【００４９】
尚、記憶部１２１には、上記各種閾値、および優先順位に加えて、予め、操作者の利き目がどちら側であるか（右目か左目か）という利き目情報が記憶されている。利き目情報は、予め操作者によって登録されたもの、あるいは、操作者の視線移動パターンから判定したもの、あるいは、操作者の視線方向Ｖｇおよび注視点から判定したもの等とすることができる。
【００５０】
１．図３中のパターン１（指の方向）に基づく算出において、
１）指差し方法の判断として、操作者の肘が曲がっているという条件に代えて、図９に示すように、手首が曲がっているという条件にしてもよい。指差し方向算出部１２２は、手首における曲げ角度をθｗとしたときに、
角度θｗ≦閾値Ｔｈｗ
となる場合に手首が曲がっていると判定する。そして、指差し方向算出部１２２は、指の伸びる延長線の方向を指差し方向として算出する。
【００５１】
２）指差し方法の判断として、操作者の肘が曲がっているという条件に代えて、図１０に示すように、指の第３関節が曲がっているという条件にしてもよい。指差し方向算出部１２２は、第３関節における角度をθ３としたときに、
角度θ３≦閾値Ｔｈ３
となる場合に指の第３関節が曲がっていると判定する。そして、指差し方向算出部１２２は、指の伸びる延長線の方向を指差し方向として算出する。
【００５２】
３）更に、指差し方法の判断として、操作者の肘、手首、指の第３関節のうち、２つ以上の条件の組合せとして、指差し方向を算出するようにしてもよい。
【００５３】
２．図３中のパターン２（目−指先）に基づく算出において、
１）指差し方法の判断として、指差し方向算出部１２２は、操作者の指が上側を向いている場合という条件を採用してもよい。即ち、指のピッチ方向（上方向）のベクトルをＰｆ、上を向いていることを示す閾値をＴｈｆとしたとき、
ベクトルＰｆ≧閾値Ｔｈｆ
となる場合に、指が上側を向いていると判定し、例えば、指先と、表示部１１における複数のアイコン１１ｂのうち一番近いアイコン１１ｂとを結ぶ線分の方向を指差し方向として算出する。
【００５４】
尚、指が上側を向く場合というのは、例えば、操作者が、表示部１１のアイコン１１ｂを指で押すときのイメージをもって空中で指差し、指が上側を向くことを想定したものである。操作者の視線が、ハードウエア構成上の理由や、外乱光等によって一時的に検知失敗をしたような場合に、この算出要領は有効となる。
【００５５】
２）操作者の左右どちらの目の視線方向Ｖｇ、眼球位置Ｐｅを使うかについて、
予め記憶部１２１に記憶された操作者の利き目情報を使用する、あるいは、
左右の目の平均値を使用する、あるいは、
指を指している手と同じ側の目を利き目とする（指差しをしている手が右手ならば、右目を利き目とする）、あるいは、
指先が位置する側の目を利き目とする（左右の手は関係なく、指差しジェスチャする指が操作者の右側にあれば、右目を利き目とする）、ことができる。
【００５６】
３）閾値Ｔｈｆの設定について、
操作者自身の指によって操作対象（例えば、カーソル１１ａやアイコン１１ｂ）を隠さないように、視線方向Ｖｇに対して、少し下側を指差す場合があるため、指先が視線方向Ｖｇに対して下側にある場合は、閾値Ｔｈｆを所定量だけ、大きくした値に変更してもよい。
【００５７】
以上のように、本変形例においても、上記第１実施形態と同様に、操作者がどの方向（位置）を指差しているのかを、自動判定することができるので、操作者に対して煩わしさを感じさせることなく、誤操作の低減を図ることができる。
【００５８】
（その他の実施形態）
上記各実施形態では、操作対象を各種車両機器１０としたが、これに限定されることなく、家庭用や施設用に設けられた機器に適用してもよい。仮定用機器としては、例えば、テレビや、オーディオ等、また、施設用機器としては、例えば、銀行のＡＴＭや、駅の自動券売機等が挙げられる。
【００５９】
また、車両に搭載されるものにおいて、対象となる操作者は、運転者に限らず、助手席者としてもよい。この場合、助手席者も、ジェスチャを行うことで、ジェスチャ検出装置１００によるジェスチャ検出が行われて、各種車両機器１０の操作が可能となる。
【００６０】
この明細書および図面等における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、請求の範囲の記載によって示され、更に請求の範囲の記載と均等の意味および範囲内での全ての変更を含むものと解されるべきである。
【００６１】
本開示に記載の制御部１２０、およびその手法は、コンピュータプログラムにより具体化された一つないしは複数の機能を実行するようにプログラムされたプロセッサを構成する専用コンピュータにより、実現されてもよい。あるいは、本開示に記載の装置、およびその手法は、専用ハードウエア論理回路により、実現されてもよい。もしくは、本開示に記載の装置、およびその手法は、コンピュータプログラムを実行するプロセッサと一つ以上のハードウエア論理回路との組み合わせにより構成された一つ以上の専用コンピュータにより、実現されてもよい。また、コンピュータプログラムは、コンピュータにより実行されるインストラクションとして、コンピュータ読み取り可能な非遷移有形記録媒体に記憶されていてもよい。
【符号の説明】
【００６２】
１０    車両機器
１００  ジェスチャ検出装置
１１０  取得部
１２０  制御部
【図１】
2020086913.tif 000003
【図２】
2020086913.tif 000004
【図３】
2020086913.tif 000005
【図４】
2020086913.tif 000006
【図５】
2020086913.tif 000007
【図６】
2020086913.tif 000008
【図７】
2020086913.tif 000009
【図８】
2020086913.tif 000010
【図９】
2020086913.tif 000011
【図１０】
2020086913.tif 000012